(57)【要約】  【課題】      短時間のうちに自然乾燥しやすいとともに、汚れが付着しにくく、掃除が容易な浴室床や歩行面パネルを提供する。  【解決手段】  上部平面部と下部平面部とを有する溝付きＦＲＰ製の浴室床であって、上部平面部の最短直線部を含む断面について、上部平面部と下部平面部との深さが０．２〜０．３ｍｍであり、上部平面部と下部平面部との間の傾斜が２０°〜７０°、好ましくは３０°〜６５°であり、隣り合う上部平面部の間の距離が０．７〜１．９ｍｍ、好ましくは０．８〜１．６ｍｍであり、上部平面部の平面形状が角の丸い浴室床である。  【選択図】    図１
2006009510.tif 000002
【特許請求の範囲】
【請求項１】
上部平面部と下部平面部とを有する溝付きＦＲＰ製の浴室床であって、上部平面部の最短直線部を含む断面について、上部平面部と下部平面部との深さが０．２〜０．３ｍｍであり、上部平面部と下部平面部との間の傾斜が２０°〜７０°、好ましくは３０°〜６５°であり、隣り合う上部平面部の間の距離が０．７〜１．９ｍｍ、好ましくは０．８〜１．６ｍｍであり、上部平面部の平面形状が角の丸い浴室床。
【請求項２】
上部平面部と下部平面部とを有する溝付きＦＲＰ製の歩行面パネルであって、上部平面部の最短直線部を含む断面について、上部平面部と下部平面部との深さが０．２〜０．３ｍｍであり、上部平面部と下部平面部との間の傾斜が２０°〜７０°、好ましくは３０°〜６５°であり、隣り合う上部平面部の間の距離が０．７〜１．９ｍｍ、好ましくは０．８〜１．６ｍｍであり、上部平面部の平面形状が角の丸い歩行面パネル。
【請求項３】
楕円形状の上部平面部を千鳥状に配置していることを特徴とする請求項１に記載の浴室床。
【請求項４】
楕円形状の上部平面部を千鳥状に配置していることを特徴とする請求項２に記載の歩行面パネル。
【請求項５】
上部平面部と下部平面部とを有する溝付き人工大理石製の浴室床であって、上部平面部の最短直線部を含む断面について、上部平面部と下部平面部との深さが０．１４〜０．４ｍｍ、好ましくは０．２〜０．３ｍｍであり、上部平面部と下部平面部との間の傾斜が２０°〜７０°、好ましくは３０°〜６５°であり、隣り合う上部平面部の間の距離が０．７〜２．３ｍｍ、好ましくは０．８〜２．０ｍｍであり、上部平面部の平面形状が角の丸い浴室床。
【請求項６】
上部平面部と下部平面部とを有する溝付き人工大理石製の歩行面パネルであって、上部平面部の最短直線部を含む断面について、上部平面部と下部平面部との深さが０．１４〜０．４ｍｍ、好ましくは０．２〜０．３ｍｍであり、上部平面部と下部平面部との間の傾斜が２０°〜７０°、好ましくは３０°〜６５°であり、隣り合う上部平面部の間の距離が０．７〜２．３ｍｍ、好ましくは０．８〜２．０ｍｍであり、上部平面部の平面形状が角の丸い歩行面パネル。
【請求項７】
楕円形状の上部平面部を千鳥状に配置していることを特徴とする請求項５に記載の浴室床。
【請求項８】
楕円形状の上部平面部を千鳥状に配置していることを特徴とする請求項６に記載の歩行面パネル。
【発明の詳細な説明】
【技術分野】
【０００１】
本発明は浴室床または歩行面パネルに関する。
【背景技術】
【０００２】
システムバスルームやユニットバスルーム等の浴室における床として、防水性を有するＦＲＰ（強化繊維プラスティック）や人工大理石等の樹脂材料による防水パンが普及している。防水パンの表面には滑り止め、排水性、美観の観点から各種のパターンで凹凸模様や排水溝が設けられている。
【０００３】
近時、次の特許文献に観られるように、防汚材料を含有させ防汚性能を高めた防水パン（特許文献１）、水の表面張力を破壊する凸部と流速を遅くする溝を備えた乾燥性に優れた防水パン（特許文献２）、表面に親水や撥水機能を有するコーティングを施した樹脂被膜成形体（特許文献３）による浴室床用の防水パンが開発されている。
【０００４】
【特許文献１】特開平９−０５６６２５号公報
【特許文献２】特開２００２−０５４２９５号公報
【特許文献３】特開２００１−３３４５９３号公報
【０００５】
また、本発明は、鉄道駅、飛行場、オフィスビル、銀行、郵便局、デパート、スーパーマーケット、マンション等の床や歩道、陸橋階段などに用いる歩行面パネルに関する。歩行面パネルとして、耐水性を有するセラミック、リノリューム、プラスティック製のパネルが従来用いられている。
【発明の開示】
【発明が解決しようとする課題】
【０００６】
しかしながら、従来の浴室床や歩行面パネルは、排水性が悪く、表面に水が溜り、長時間経過しても浴室床が自然乾燥しにくいという問題がある。
また、特許文献２に開示されている方法は、溝に汚れが溜りやすく清掃がしにくいという問題がある。
【０００７】
そこで、本発明の目的は、短時間のうちに自然乾燥しやすいとともに、汚れが付着しにくく、掃除が容易な浴室床や歩行面パネルを提供することである。
【課題を解決するための手段】
【０００８】
上記目的は、請求項１に記載の本発明に係る浴室床、すなわち、上部平面部と下部平面部とを有する溝付きＦＲＰ製の浴室床であって、上部平面部の最短直線部を含む断面について、上部平面部と下部平面部との深さが０．２〜０．３ｍｍであり、上部平面部と下部平面部との間の傾斜が２０°〜７０°、好ましくは３０°〜６５°であり、隣り合う上部平面部の間の距離が０．７〜１．９ｍｍ、好ましくは０．８〜１．６ｍｍであり、上部平面部の平面形状が角の丸い浴室床によって、達成される。
【０００９】
また、上記目的は、請求項２に記載の本発明に係る歩行面パネル、すなわち、上部平面部と下部平面部とを有する溝付きＦＲＰ製の歩行面パネルであって、上部平面部の最短直線部を含む断面について、上部平面部と下部平面部との深さが０．２〜０．３ｍｍであり、上部平面部と下部平面部との間の傾斜が２０°〜７０°、好ましくは３０°〜６５°であり、隣り合う上部平面部の間の距離が０．７〜１．９ｍｍ、好ましくは０．８〜１．６ｍｍであり、上部平面部の平面形状が角の丸い歩行面パネルによって、達成される。
【００１０】
本発明の好ましい実施態様においては、請求項３または４に記載のように、楕円形状の上部平面部を千鳥状に配置している。
【００１１】
さらに、上記目的は、請求項５に記載の本発明に係る浴室床、すなわち、上部平面部と下部平面部とを有する溝付き人工大理石製の浴室床であって、上部平面部の最短直線部を含む断面について、上部平面部と下部平面部との深さが０．１４〜０．４ｍｍ、好ましくは０．２〜０．３ｍｍであり、上部平面部と下部平面部との間の傾斜が２０°〜７０°、好ましくは３０°〜６５°であり、隣り合う上部平面部の間の距離が０．７〜２．３ｍｍ、好ましくは０．８〜２．０ｍｍであり、上部平面部の平面形状が角の丸い浴室床によって、達成される。
【００１２】
また、上記目的は、請求項６に記載の本発明に係る歩行面パネル、すなわち、上部平面部と下部平面部とを有する溝付き人工大理石製の歩行面パネルであって、上部平面部の最短直線部を含む断面について、上部平面部と下部平面部との深さが０．１４〜０．４ｍｍ、好ましくは０．２〜０．３ｍｍであり、上部平面部と下部平面部との間の傾斜が２０°〜７０°、好ましくは３０°〜６５°であり、隣り合う上部平面部の間の距離が０．７〜２．３ｍｍ、好ましくは０．８〜２．０ｍｍであり、上部平面部の平面形状が角の丸い歩行面パネルによって、達成される。
【００１３】
本発明の好ましい実施態様においては、請求項７または８に記載のように、楕円形状の上部平面部を千鳥状に配置している。
【発明の効果】
【００１４】
上部平面部と下部平面部との深さを０．１４〜０．４ｍｍ、好ましくは０．２〜０．３ｍｍとすると、浴室床全面の凹凸が低くよりフラットになり、汚れやゴミが溜りにくく、かつ、掃除しやすくなる。
【００１５】
上部平面部の最短直線部を含む断面について、隣り合う上部平面部の間の距離が０．７〜１．９ｍｍ、好ましくは０．８〜１．６ｍｍであると、水がすばやく床面に広がり、しかも溝の深さが０．２〜０．３ｍｍ程度と浅いと、水が蒸発しやすく、自然乾燥が早い。
【００１６】
上部平面部の最長直線部を含む断面について、上部平面部と下部平面部との間の傾斜が２０°〜７０°、好ましくは３０°〜６５°であると、水がすばやく床面に広がり、局所的に水が残ることがほとんどない。また、掃除もしやすい。
【００１７】
したがって、本発明に係る浴室床及び歩行面パネルは汚れやゴミを清掃しやすいとともに、水が蒸発しやすく、自然乾燥しやすい。すなわち、清潔かつ乾燥した状態に保つことができるので、浴室内で滑りにくく、雨天時の歩行中滑りにくくなる。
【発明を実施するための最良の形態】
【００１８】
以下、本発明の実施形態について、添付図面を参照して、詳細に説明する。
【００１９】
図１は本発明に係る実施形態の浴室床の平面図である。上部平面部１は孤立した楕円形状であり、同一高さに千鳥状に配置されており、下部平面部２は連続し同一高さである。上部平面部１の周囲には傾斜部３がある。全面には不図示の凹凸が形成されており、表面粗さ形状測定機での測定結果は、算術平均粗さ（Ｒａ）、算術平均傾斜（Δａ）を表示してある。
【００２０】
図２は本発明に係る実施形態の浴室床の断面図であり、図１におけるＡ−Ａ断面図である。上部平面部１の断面は直線状であり、上部平面部１と傾斜部３との間の第２中間部５の断面は曲率半径Ｒ２の円弧状であり、傾斜部３の断面は傾斜の直線状であり、傾斜部３と下部平面部２との間の第１中間部４の断面は曲率半径Ｒ１の円弧状であり、下部平面部２の断面は直線状である。上部平面部１と下部平面部２との深さはｄで示されている。
【００２１】
第１実施形態
ＳＭＣ（シート・モールディング・コンパウンド）の加熱加圧・圧縮成形により種々のＦＲＰ製の浴室床を作製した。ＳＭＣの加熱加圧・圧縮成形は、シート状の固体原料を下型に敷いた後、上型を閉じて加圧するため、型への摩擦力は大きい。よって、微細な凹凸を維持するために、摩擦力に耐えられる型表面にする必要がある成形方法である。摩擦力に耐えられるようにする方法として、イオンプレーティング等によりＴｉＮやＣｒＮの被膜を型表面に付ける方法等が挙げられる。浴室床に設けた凹凸についての寸法を表１に示す。凹凸形状は、輪郭形状測定機によって測定した。
【００２２】
次に、清掃性の評価は次のようにして行った。浴室床に歯磨きクリームまたはクレンジングクリームをそれぞれ所定量塗った後に、一定条件で拭き取り、浴室床に残った歯磨きクリームまたはクレンジングクリームの量を目視して、二重丸、丸、丸ダッシュ、三角、バツと評価した。清掃性の評価結果も表１に合せて示す。
【表１】
2006009510.tif 000003
【００２３】
水はけ性の評価は次のようにして行った。浴室床に水をかけた後、目視により水の広がり方（濡れ性）を観察した。水はけ性を丸、丸ダッシュ、三角、バツと評価した。水はけ性の評価結果も表１に合せて示している。
【００２４】
溝深さは０．３ｍｍ以下とすると、清掃性が良い。比較例０６のように最小溝幅（溝上や溝下）（ＷＵｍｉｎやＷＬｍｉｎ）が０．６４mmや０．１２ｍｍと小さくなると、清掃性が悪くなる。
【００２５】
比較例０５のように最大溝幅（溝下や溝上）（ＷＵｍａｘやＷＬｍａｘ）が１．７４や２．００と大きくなると、濡れ性（水はけ性）が悪くなる。
【００２６】
第２実施形態
注型成形により種々の人工大理石製の浴室床を作製した。人工大理石の作製方法は、上型と下型を閉じた状態で液状の原料樹脂を流し込み、加熱加圧成形して作製する。液状の原料であるため、型への摩擦力は小さい。また、液状の原料であるため、型締めの圧力も小さくて済む。よって、微細な凹凸を維持しやすい成形方法である。浴室床に設けた凹凸についての寸法を表２に示す。
【表２】
2006009510.tif 000004
【００２７】
同様にして、清掃性の評価を行った。清掃性の評価結果も表２に合せて示す。
【００２８】
また、同様にして、水はけ性の評価を行い、水はけ性の評価結果も表２に合せて示す。
【００２９】
比較例２０のように最小溝幅（溝上や溝下）（ＷＵｍｉｎやＷＬｍｉｎ）が０．６５mmや０．１５mmと小さくなると、清掃性が悪くなる。
【００３０】
比較例１９のように最大溝幅（溝上や溝下）（ＷＵｍａｘやＷＬｍａｘ）が２．３５や２．０９と大きくなると、濡れ性（水はけ性）が悪くなる。最大溝幅が大きいと、部分的に水が残り、全体としては乾きにくくなる。
【図面の簡単な説明】
【００３１】
【図１】本発明に係る実施形態の浴室床の平面図である。
【図２】本発明に係る実施形態の浴室床の断面図である。
【符号の説明】
【００３２】
１  上部平面部
２  下部平面部
３  傾斜部
４  第１中間部
５  第２中間部
【図１】
2006009510.tif 000005
【図２】
2006009510.tif 000006